(57)【要約】  【課題】  除菌、消臭、リラクゼーション等に効果のある有効成分を所定の空間へ均一かつ広範に噴霧を行うこと。  【解決手段】  二流体ノズルの噴出口を対向するように配置して、各ノズルからの噴流を外部衝突させることで得られるドライミスト状態の微細霧を空気中に噴霧し、該微細霧中に含まれる生薬成分や植物成分などの有効成分によって、空気中の臭気成分の除去、空気中の病原の除去又は増殖抑制、ひいては感染症予防等を行うようにする。また、前記微細霧中に含まれる香気成分によって、リラクゼーション効果を得る。  【選択図】  図１
2005046338.tif 000002
【特許請求の範囲】
【請求項１】
二流体ノズルの噴出口を対向するように配置して、各ノズルからの噴流を外部衝突させることで得られる微細霧を空気中に噴霧し、該微細霧中に含まれる有効成分によって、空気中の臭気成分を除去することを特徴とする消臭方法。
【請求項２】
前記有効成分は、生薬成分であることを特徴とする請求項１記載の消臭方法。
【請求項３】
前記有効成分は、植物抽出成分であることを特徴とする請求項１記載の消臭方法。
【請求項４】
二流体ノズルの噴出口を対向するように配置して、各ノズルからの噴流を外部衝突させることで得られる微細霧を空気中に噴霧し、該微細霧中に含まれる有効成分によって、病原微生物の除去又は増殖抑制を行うことを特徴とする病原微生物処理方法。
【請求項５】
前記有効成分は、生薬成分であることを特徴とする請求項４記載の病原微生物処理方法。
【請求項６】
前記有効成分は、植物抽出成分であることを特徴とする請求項６記載の病原微生物処理方法。
【請求項７】
前記病原は、黄色ブドウ球菌又は／及び病原性大腸菌であることを特徴とする請求項４記載の病原微生物処理方法。
【請求項８】
請求項４から請求項７のいずれか一項に記載された病原微生物処理方法を用いることを特徴とする感染症予防方法。
【請求項９】
二流体ノズルの噴出口を対向配置し、各ノズルからの噴流を外部衝突させることで得られる微細霧中に含まれる香気成分を空気中に噴霧することを特徴とする香気噴霧方法。
【請求項１０】
前記香気成分は、植物精油採取過程で得られる水溶液中に含まれる成分であることを特徴とする請求項９記載の香気噴霧方法。
【請求項１１】
請求項９又は請求項１０に記載された方法を用いることを特徴とするリラクゼーション空間形成方法。
【請求項１２】
請求項１から請求項８のいずれか一項に記載の方法を用いることを特徴とする空気清浄化方法。
【発明の詳細な説明】
【技術分野】
【０００１】
微細霧を用いた消臭、病原微生物処理、香気散布等に係る技術に関する。より詳しくは、二流体ノズルから噴射される「濡れ」のない粒径の小さな微細霧を空気中に均一かつ広範囲に噴霧することによって、臭気成分除去、病原微生物処理、香気散布等を効率よく行うための技術に関する。
【背景技術】
【０００２】
まず、液体を微細霧状に噴霧するノズル（以下、「噴霧ノズル」と称する。）として、現在、一流体ノズルの他に、いわゆる「二流体ノズル」が知られている。この二流体ノズルは、圧縮気体と共に液体を噴射する液体噴射口と、この液体噴射口の周囲に形成されて前記液体噴射口の前方に高速渦流を形成する気体噴射口と、備えており、前記液体噴射口から噴射される液体を、前記気体噴射口からの高速渦流によって粉砕して超微細霧を形成し、これを遠方にまで飛ばすことができるという特徴を備えている。
【０００３】
例えば、特許文献１や特許文献２には、前記二流体ノズルを、その噴出口（噴口部）が所定角度で対向するように配置された構成の噴霧ノズル装置が開示されている。このような構成の噴霧ノズル装置は、双方のノズルから噴出された微粒子がノズル噴出口外部で衝突して微細化されることによって、極めて小さな超微細霧を形成することができる。
【０００４】
また、霧を利用した消臭技術やリラクゼーション高揚技術も知られている。例えば、特許文献３には、植物エキス混合消臭液を、超音波発振技術を用いて３μｍ以下の超微粒子に霧化し、空気流とともに消臭対象の空間に噴霧する消臭技術が開示されている。また、特許文献４には、天然植物精油に所定の天然抽出抗菌剤を添加してアロマセラピー用のエッセンシャルオイルを調整し、これを超音波振動によって霧化して室内に散布し、リラクゼーション効果等を得る技術が開示されている。
【特許文献１】特開平５−２０８１４８号公報（図１等参照）。
【特許文献２】特開２００２−１２６５８７号公報（図１等参照）。
【特許文献３】特開平８−２８０７８５号公報。
【特許文献４】特開２００１−１１４６１９号公報。
【発明の開示】
【発明が解決しようとする課題】
【０００５】
現在、病院等における院内感染が大きな問題となっている。この院内感染を防止する方策に留まらず、一般のビル、オフィス、救急車、保健施設、福祉施設、食品調理場、浴場、トイレ、動物実験その他の実験施設、レジャー施設、列車・航空機・バスなどの交通機関、空港等の多くの場所や施設においても、確実に感染症予防の実効を上げることができる技術が求められている。
【０００６】
即ち、様々な施設や場所を対象にでき、かつ普及が容易な感染症予防技術の開発が望まれている。このような技術の有力候補として、除菌剤溶液等を所望の場所や空間に噴霧する技術を挙げることができる。この噴霧技術は、従来から除菌目的以外にも、消臭やアロマセラピー等を目的に実際に試みられてきている。
【０００７】
しかしながら、従来の前記噴霧技術では、除菌剤等を含む水溶液を、対象物や対象箇所を「濡らす」ことができる程度の位置から噴霧することにより、除菌などの所望の効果を得ることを前提にしている。
【０００８】
この「濡らす」ことを前提とした噴霧技術は、（１）医療機器等の電子機器の除菌や殺菌を行うと、機器の機能に悪影響を与える恐れがある、（２）霧の粒子径が大きくて、遠方かつ広範囲な噴霧が困難であるので、大面積（大表面積）の物、大人数の集団、大空間等を対象とすることはできない、（３）均一な噴霧が難しく除菌等の効率が悪いので、対人除菌には時間がかかることから、気道刺激性のある除菌剤等を吸入した場合の毒性が心配される、等の問題を抱えている。
【０００９】
このため、本願発明者らは、微細な粒径サイズの霧を形成可能な二流体ノズルの採用を検討したところ、一本の二流体ノズルを用いただけの構成では、除菌や消臭を確実に達成できる程度の霧粒径サイズを得ることが根本的に難しかった。
【００１０】
また、既述した超音波発振子を用いた噴霧技術では、振動子表面に水溶液中に含まれるカルシウム、マグネシウム、アルミニウム、ケイ素などが析出してしまうので、この洗浄作業に手間がかかるという問題点があった。また、微細霧をより遠くに飛散させるために、ファンの風に乗せて運ぶ手段を付加することが必要となった。
【００１１】
さらに、既存の除菌剤等の中には、気道刺激性を有するものがあることから、特に、対人使用の場合での安全性に問題を残している。このため、噴霧技術の検討に併せて、人への刺激が少ない除菌剤等の開発が必要であることがわかった。
【００１２】
そこで、本発明は、微細霧を形成できる噴霧ノズルの構成や噴霧条件を具体的に策定するとともに、感染症予防、消臭、リラクゼーション等に効果があり、かつ安全に対人使用できる有効成分を新規に探索することによって、感染症予防、消臭、リラクゼーション等の効果を、確実かつ安全に得ることを目的とする。
【課題を解決するための手段】
【００１３】
本発明では、二流体ノズルの噴出口を対向するように配置して、各ノズルからの噴流を外部衝突させることで得られる微細霧を空気中に噴霧することによって「濡れ」のない、いわゆるドライミスト（ドライフォグ）を形成し、この微細霧中に含まれる生薬成分や植物抽出成分などの有効成分の作用に基づいて、（１）空気中の臭気成分を除去する消臭方法、（２）床、壁面、天井、設備、機器などの場所に付着した黄色ブドウ球菌や病原性大腸菌等の病原微生物を処理する方法、（３）前記（２）の方法を用いる感染症予防方法、（４）前記超微細霧中に含まれる香気成分を空気中に噴霧する香気噴霧方法、（５）前記（４）の方法を用いるリラクゼーション空間形成方法、（６）前記消臭方法や病原処理方法等を用いる空気清浄化方法を提供する。
【発明の効果】
【００１４】
本発明によれば、感染症予防、消臭、リラクゼーション等の効果を有し、かつ安全性の高い天然の有効成分を微細霧中に含有させて、所定の空間や物に向けて、「濡れ」がなく、均一に噴霧することが可能となるため、所望する前記各効果を効率的に、かつ安全に得ることができる。
【００１５】
また、本発明は、前記有効成分を含む微細霧をより遠方に、かつ広範囲に噴霧できることから、大面積の物、大人数の集団、大空間等を対象とする感染症予防、消臭、リラクゼーション等の効果を得ることができる。
【００１６】
さらに、微細霧中の有効性に吸入毒性の少ない天然成分を用いるように工夫することにより、対人除菌を安全に実施できる。
【発明を実施するための最良の形態】
【００１７】
本発明に好適な噴霧ノズル装置の構成を、該構成を簡略に示す図１に基づいて説明する。まず、二つの二流体ノズル１,１の噴出口２,２が対向するように配置し、各ノズル１,１からの噴流を外部衝突させるようにする。この外部衝突によって形成される微細霧Ｆは、粒子径がより微細なものが望ましく、具体的には、平均粒径１０μｍ以下の超微細霧が、確実にドライミスト状態となることから、特に好ましい。なお、二流体ノズルの噴出口の対向配置角度αは、衝突効率がよく、霧の超微細化を確実に達成できる９０°に設定することが望ましい（図１参照）。
【００１８】
本発明において特に好適に採用できる二流体ノズル１の代表例として、実用新案登録第２５３０１９６号公報・請求項２等に記載された構成の渦流型エジェクター式噴霧ノズルを挙げることができる。
【００１９】
このような噴霧ノズル装置構成を採用することによって、本発明に係る方法では、超微細霧を遠方、かつ広範囲に、そして均一に噴霧できる。この結果、噴霧対象の物や箇所を「濡らす」ことを前提としない、ドライミストによる噴霧を確実に実施できる。
【００２０】
ここで、本発明に係る方法で噴霧される水溶液中の有効成分は、人体に害のない天然成分が望ましく、例えば、生薬成分（例えば、漢方薬に配合されるような生薬成分）や植物抽出成分を採用することができる。これらの成分を単独で、あるいは目的に応じてこれらを適宜選択して組み合わせてもよい。
【００２１】
前記有効成分の好適な例として、葛根湯、桂皮、ドクダミ、芍薬、麻黄、熊笹、甘草、生姜、バンランカン、紫蘇、ミントなどのハーブ、オレンジ、ラベンダー、バラ、杏仁などに含まれる、除菌や消臭等に有効な成分を挙げることができる。なお、これらの有効成分は、噴霧の目的や処理対象の病原種に応じて適宜選定し、あるいは適宜組み合わせてもよい。
【００２２】
前掲した有効成分を用いて消臭目的の噴霧を行う場合では、その具体的な消臭反応としては、（１）悪臭の原成分を分解することによって発揮される消臭作用、（２）前記原成分をマスキングすることによって発揮される消臭作用、（３）前記原成分を芳香成分によって紛らわすことによって発揮される消臭作用のいずれでもよい。即ち、本発明に係る消臭有効成分として、悪臭原成分を分解、マスキング、あるいは紛らわす芳香成分のいずれも採用可能である。
【００２３】
次に、前掲した有効成分を用いて病原処理目的、ひいては感染症予防目的の噴霧を行う場合は、当該有効成分による除菌作用、殺菌作用、抗菌作用、抗ウイルス作用等によって、病原菌、ウイルス等の病原微生物を、所望の空間や場所（例えば、床、壁面、天井、設備、機器等）から除去あるいは増殖抑制又は防止する。
【００２４】
そして、前掲した有効成分を用いてリラクゼーション効果を得る目的で噴霧を行う場合は、例えば、バラ、オレンジ、ミントなどのハーブ等から採取した精油を利用できる。特に、バラから採取した精油中に含まれる香気成分は好適に利用できる。
【００２５】
しかしながら、植物の精油それ自体を噴霧溶液に使用すると高コストになるため実施化が難しい場合も想定される。例えば、有効成分の大量使用が必要となる大規模噴霧や長時間噴霧を前提とする場合では、現実的には実施することが困難となる可能性がある。
【００２６】
このような場合を想定し、本願発明者らは、精油を採取する際に得られる水溶液（以下、「フローラル液」と称する。）中においても、本発明に係る噴霧ノズル装置を用いれば、リラクゼーション効果を得るに充分な量の香気成分が含有していることを見出した。この「フローラル液」を用いることによって前記コストの問題を解決し、大面積の物、大人数の集団、大空間等を対象とする香気成分の微細噴霧を実施できるようにした。
【００２７】
前記フローラル液中に含まれる程度の量の香気成分であっても、本発明で採用するニ流体ノズルの衝突噴霧によって微細霧を形成し、これを所定空間に均一噴霧するように工夫すれば、リラクゼーション効果あるいはアロマセラピー効果を確実に得ることができる。
【実施例１】
【００２８】
（Ｉ）微細霧による消臭試験。
【００２９】
本試験は、消臭効果があると思われる薬効成分液を、既述した本発明に係る噴霧ノズル装置を用いて、微細霧として一定時間、一定量噴霧し、そのまま一定時間閉じこめておいたときの消臭効果について検証することを目的とする。
【００３０】
本試験は、例えば、葬祭場におけるお香の消臭、病院・老人保健施設における薬品臭の消臭、トイレの消臭、福祉関連施設等における老人臭の消臭、喫煙室におけるたばこ臭の消臭、ペットショップやペットホテルの消臭、畜産関連施設等の消臭、ゴミ処理場の消臭、バス、列車、飛行機などの交通機関の消臭、一般企業等で大規模消臭を必要とする場面・場所の消臭などを想定したものである。
【００３１】
試験方法。実験用の仮設箱（１８０×９０×９０ｃｍ：１．４６立方メートル）を準備し、この仮設箱を用いて、臭いの代表例であるお香を使用して消臭試験を実施した。使用したお香は、ＪＡアシスト製・仏心香である。仮設箱の底部に、お香発生源を設置し、８〜１０秒程度お香を焚いて臭いを閉じこめ、各種消臭剤の微細霧を仮設箱の上部から６０ｍｌ／分の噴霧量で３秒間噴霧した後、仮設箱を密閉した。３〜５分後に、人による臭気感能テストによって消臭効果を、お香臭と消臭剤臭（消臭剤の残存臭）で評価した。本試験で使用した消臭剤（計１８種）は、本試験の結果を示す「表１」の消臭剤の欄の通りである。なお、表１中に示す「効果」の欄における「０」は無臭、「１」は弱臭、「２」は中程度臭、「３」は強臭をそれぞれ表している。
【００３２】
表１中に示された消臭剤は、「消臭研究所」は丸和バイオケミカル株式会社製、「森で生まれたＦ118除菌」、「森で生まれたＦ118消臭」、「森で生まれたＦ118スーパー500」はいずれも株式会社ファイン製、「セントリスＳＥ-1アルファー」は、ニッセキ株式会社製、「３９」はアクアス株式会社製。「４９」、「６０」、「８８」、「５７３」、「超酸性水」、「超アルカリ水」はいずれもエコトライ株式会社製、「エアーケム１０５」は第一工業製薬株式会社製、「Ｐ−３Ｃ」はケミカルボイスジャパン株式会社製、「エコソープ」、「バイオミセル」は有限会社こうすい製、「Ｍ-１」は株式会社環境分析センター製、「ＯＣＴ-１」はオクタス総合研究所製である。
【００３３】
【表１】
2005046338.tif 000003
前掲した表１に示すように、消臭効果の評価が「１」以下の良好な効果が得られた消臭剤は、「３９」、「４９」、「６０」、「８８」、「５７３」、「Ｍ−１」の計６つであり、この中で消臭剤の残存臭の評価についても「１」以下であったものは、「Ｍ−１」である。なお、「Ｍ−１」は、植物抽出液成分（麦抽出成分）から構成されている消臭剤である。
【００３４】
以上の試験の通り、本発明に係る噴霧ノズル装置を用い、これに適した消臭剤（特に、植物抽出成分からなる消臭剤）を「濡れない」微細霧状態で噴霧すすることによって、消臭効果が得られることを検証できた。
【００３５】
（ＩＩ−１）微細霧による殺菌効果の検証試験（直接噴霧試験）。
【００３６】
本試験は、対象とする物や場所に付着している細菌等微生物に、殺菌・除菌薬剤の微細霧を直接噴霧することによる殺菌効果を検証することを目的とする。
【００３７】
試験方法。大腸菌（Escherichia coli、ｋ-12変異株）、黄色ブドウ球菌（Staphylococcus aureus、ATCC#6538P）をそれぞれ予め塗布した寒天培地を準備した。上記渦流型エジェクター式のニ流体ノズルの噴出口を９０度に対向配置させて衝突噴霧を行う噴霧装置を採用し、前記寒天培地を５０ｃｍと１００ｃｍの距離に静置した。噴霧する除菌剤は、セントリスＥ−１ｋ（ニッセキ株式会社製）、７０％エタノール（和光純薬工業株式会社製）、水希釈用殺菌消毒剤・オスバンＳ（塩化ベンザルコニウム１０ｗ／ｖ％水溶液：日本製薬株式会社製）を用いた。各除菌剤を１００ｍＬ／分の噴霧量で５分間噴霧し、その後、３７℃で２４時間静置して、培地のコロニーの有無を観察した。これにより、前記噴霧装置によって得られる微細霧の除菌効果を検証した。
【００３８】
その結果を次の「表２」に示す。なお、表２において、×は殺菌効果なし、○は殺菌効果あり（多少のコロニーが観察される）、◎は殺菌効果大（コロニーが全く認められない）を示している。
【００３９】
【表２】
2005046338.tif 000004
前掲した「表２」に示されているように、セントリスＥ-１ｋやオスバンＳ（１００倍希釈、５００倍希釈）を用いた微細霧噴霧によって、大腸菌や黄色ブドウ球菌に対する殺菌効果が得られることが検証できた。即ち、ドライミスト状態の超微細霧の噴霧処理によって殺菌効果を得ることができることが検証できた。なお、７０％エタノールについては、本噴霧試験での除菌効果が得られなかった。これは、エタノールが揮発性であるので、殺菌力の持続性に劣ること等が原因と思われる。
【００４０】
（ＩＩ−２）微細霧による布等に付着した菌の殺菌効果検証試験。
【００４１】
本試験は、白衣等の材料となる布に付着している種々の細菌等微生物に、殺菌・除菌薬剤を微細霧状態で直接噴霧することによる殺菌効果を検証することを目的とする。本試験は、１）白衣や布団など、また飛沫感染が起こると考えられる場面での微細霧を直接噴霧することにより殺菌、２）人を対象として、人の吸入毒性を考慮しないでよい（息を止められる時間）範囲での使用、を想定したものである。
【００４２】
試験方法。白衣から布の切れ端を作り、これを布サンプルとした。この布サンプル（Ｎｏ．1〜４）に、上記同様の大腸菌と黄色ブドウ球菌を予め塗布しておき、５０cm、１００cmの距離を置いて、本発明方法に基づき、殺菌剤の微細霧を噴霧した。次に、寒天培地に布サンプルを載せて２時間室温に保った後、布サンプルを除去し、その後、３７℃で２４時間培養し、コロニー形成の有無を計数観察することで、殺菌効果を検証した。
【００４３】
なお、使用した殺菌剤は、すべて「セントリスＥ−１ｋ」である。本試験の結果を、次の「表３」に示す。なお、表２において、◎は殺菌効果が顕著である結果を示している。
【００４４】
【表３】
2005046338.tif 000005
前掲した「表３」に示されているように、布に付着した病原微生物についても、本発明方法によって殺菌可能である。従って、本発明方法は、例えば、感染病棟に出入りする人々（医師、看護師、患者家族）やＰ３レベルの実験作業者などを対象とする対人殺菌技術として有用であり、現在一般的なエアシャワー除菌に替わる技術として提案できる。
【００４５】
（ＩＩ-３）微細霧による空間殺菌効果の検証試験。
【００４６】
本試験は、ある空間においてこの微細霧を一定時間、一定量噴霧しそのまま微細霧を一定時間閉じこめておいたときの殺菌効果を検証することを目的とする。
【００４７】
ここで、「空間」とは、病院、老人保健施設、福祉関連施設、救急車内、手術室、手術室全室、動物実験施設、生命科学系の無菌を必要とする実験室、交通機関（列車、飛行機、バスなど）、感染専用病室の使用前殺菌処理、ベッド等で使い回すものをある一定空間で濡らさずに衛生処理、食物運搬車輌、食品加工に関する空間で濡らせない空間や機器等の消毒、食肉関連施設の無菌検査室、温泉やプ−ル等のレジャー施設関連の付帯整備（脱衣場や着替え室）などを想定したものである。
【００４８】
実験方法。実験用の仮設箱（１８０×９０×９０ｃｍ：１．４６立方メートル）を作成し、この仮設箱の底部から９０ｃｍの位置に静置用の棚を設置した。病原微生物は、上記した（１）直接噴霧試験と同様に、予め普通寒天培地に大腸菌と黄色ブドウ球菌を塗布したものを静置用棚に静置した。除菌剤（セントリスＥ−１ｋ、７０％エタノール）を、本発明に係る構成の微細霧噴霧装置を用いて、仮設箱の上部から培地に除菌剤液が直接かからないように留意しながら１００ｍＬ／分の噴霧量で１０秒噴霧した後、仮設箱を密閉した。なお、この時、仮設箱内は超微細霧粒子として前述の除菌剤成分が浮遊した状態となる。
【００４９】
仮設箱を密閉後、１〜６０分静置した。大腸菌と黄色ブドウ球菌を塗布した寒天培地を取り出し、３７℃で２４時間培養し、コロニー形成の有無を観察することで、除菌剤成分を微細霧状態で噴霧したときの殺菌効果を検証した。本試験の結果を次の「表４」に示す。なお、表４において、×は殺菌効果なし、△は殺菌効果弱（コロニー化が認められる）、○は殺菌効果あり（多少のコロニーが観察される）、◎は殺菌効果大（コロニーが全く認められない）を示している。
【００５０】
【表４】
2005046338.tif 000006
前掲した「表４」に示されているように、セントリスＥ−１ｋによる大腸菌の殺菌は、噴霧量１００ｍＬ／分で噴霧後放置時間３分の場合では、大腸菌で少し殺菌効果が認められただけで、ほとんどその効果は見られなかった。
【００５１】
しかし、噴霧量を１５０ｍＬ／分に増やすと、噴霧後放置時間３分で殺菌効果が明らかに見られた。噴霧後放置時間１０分では、噴霧量が１００ｍＬ／分の場合でも、大腸菌に対する殺菌効果が見られた。噴霧後放置時間１５分以上では、噴霧量が１００ｍＬ／分の場合でも、大腸菌だけでなく、黄色ブドウ球菌も完全に死滅していた。なお、対照であるエタノ−ルによる試験では、殺菌効果が認められなかった。
【００５２】
（ＩＩ-４）有効成分の検証試験。
【００５３】
本試験は、微細霧による病原処理に適する天然有効成分を探索することを目的とする。本試験では、生薬成分や植物抽出成分を標的に検証試験を行った。
【００５４】
本試験では、まず、予め病原微生物（大腸菌、黄色ブドウ球菌）含有原液を作成し、これを希釈して１０３個／ｍＬの菌濃度の菌含有液を作成した。この菌含有液１ｍＬに対して、選定された生薬又は植物の最終抽出液の最終濃度が５％になるように添加し、サンプル液を得た。このサンプル液を３７℃の条件で１２時間培養し、病原微生物の増殖の有無を観察した。使用した各成分の殺菌効果の検証結果を以下の「表５」に示す。なお、表５において、○は殺菌効果あり、×は殺菌効果なしを示している。
【００５５】
【表５】
2005046338.tif 000007
前掲する「表５」に示されているように、大腸菌に対してのみ殺菌効果を示した成分は、葛根湯成分、芍薬成分、甘草成分、ミント成分であった。紫蘇とミントは、大腸菌と黄色ブドウ球菌の両方に対して殺菌効果を示した。
【００５６】
なお、芍薬、甘草等の生薬からの最終抽出液採取は、薬草の葉又は根を乾燥したものを１０ｇに水道水６００ｃｃを加え、１時間煮出した後、固形物を除去し、続いて、煮出し液をそのまま弱火で２０ｍＬになるまで煮詰め濃縮した。これを１４０００ｒｐｍ、４℃で３０分間遠心し、上清をフィルター滅菌し、続いて４℃で透析し、最終抽出液（外液）を得るという手順で行った。
【００５７】
また、紫蘇やミント等の植物からの最終抽出液採取は、新鮮な葉を採取、これを水洗して充分に水切りしたものを５０ｇ用意し、これに６００ｃｃの水道水を加え、４０分間煮出した後、固形物を除去し、続いて、煮出し液をそのまま弱火で１０ｍＬになるまで煮詰め濃縮。これを１４０００ｒｐｍ、４℃で３０分間遠心し、上清をフィルター滅菌し、続いて４℃で透析し、最終抽出液（外液）を得るという手順で行った。
【００５８】
（ＩＩ−５）有効成分の有効濃度の検証試験。
【００５９】
上記（ＩＩ−４）の試験で殺菌効果が認められた葛根湯、芍薬、甘草、紫蘇、ミントの殺菌有効濃度を検証するため、上記菌液１ｍｌに対する各最終抽出液濃度が０．１％、０．５％、１．０％のものをそれぞれ用意し、上記（２）の試験と同様の条件で、殺菌効果の有無を検証した。その結果を以下の「表６」、「表７」に示す。なお、表６、表７において、◎は、殺菌効果あり、○は殺菌効果少しあり、×は殺菌効果なしを示している。
【００６０】
【表６】
2005046338.tif 000008
【００６１】
【表７】
2005046338.tif 000009
前掲した「表６」及び「表７」に示されているように、ミントの対大腸菌の場合を除き、上記菌液１ｍＬに対する各成分の最終抽出液の最終濃度０．１％以上の条件で、殺菌効果が得られることがわかった。
【００６２】
なお、今回の試験で採用し、その殺菌効果が検証された生薬や植物は、本発明で採用可能なものの一例に過ぎないものである。病原の種類によっては、今回の試験で殺菌効果が得られなかった成分でも、殺菌効果が示される可能性を否定できない。この点から、本発明は、試験で採用した生薬種や植物種に狭く限定されるべきでない。
【００６３】
また、対象とする病原微生物についても、上記試験で採用した大腸菌や黄色ブドウ球菌に限定されるものではなく、例えば、食中毒を引き起こす原因菌であるサルモネラ菌、腸炎ビブリオ菌、ボツリヌス菌、ウェルシュ菌、小型球形ウイルス等に対する有効成分を微細霧化してドライミスト状態で噴霧することにより、除菌や抗ウイルスの効果を得ることもできる。
【００６４】
（ＩＩＩ−１）植物抽出成分のリラクゼーション効果に関する検証試験。
【００６５】
本試験は、植物抽出成分によるリラクゼーション効果の有無に関する検証試験を行うことを目的とする。植物抽出成分としては、バラ精油とラベンダー精油を用いた。
【００６６】
健常成人４名を仰向けにし、バラ精油、ラベンダー精油のそれぞれが封入されたビニール袋を準備し、この袋を被験者の頭からかぶせて２分間静置した。
【００６７】
また、日立メディコ社製光トポグラフィー装置（ETG-100）を被験者の前頭部に固定し、同部位における酸素化ヘモグロビン（ｏｘｙＨｂ）と還元ヘモグロビン（ｄｅｏｘｙＨｂ）の動態を測定した。その結果を添付した図２に示す。
【００６８】
光トポグラフィーの測定結果からは、バラ精油では、３０秒前後で、前頭葉に相当する部位において、酸素化ヘモグロビン（オキシヘモグロビン）の増加が認められ、一方、ラベンダー精油の場合では、その増加が認められなかった（図３参照）。なお、図３は、光トポグラフィーによる酸素化ヘモグロビン（ｏｘｙＨｂ）と還元ヘモグロビン（ｄｅｏｘｙＨｂ）の動態測定の変化を、積分値を用いて示した図である。
【００６９】
本試験の結果から、バラ精油中の香気による刺激によって、短時間のうちに末梢の血流動態に変化が生じ、さらに前頭葉領域の血流が増加することが示唆された。このバラ精油中の香気による効果は、血流改善、及び「脳の力と心の敏活さを向上させる」作用を示唆するものと言えることから、バラの香気によるリラクゼーション効果が充分に期待される結果となった。
【００７０】
（ＩＩＩ−２）フローラル液の微細霧によるリラクゼーション効果に関する検証試験。
【００７１】
本試験は、植物の「フローラル液」を本発明に係る噴霧ノズル装置によってドライミスト状態の微細霧化を行い、一定空間(部屋)に一定量噴霧した場合のその香気によるリラクゼーション効果を検証することを目的とする。
【００７２】
本試験は、例えば、病院、老人保健施設、福祉関連施設等の広間、デパートや大規模商業施設等の休憩室、ホテルや旅館の広間や休憩室、一般企業等の休憩室やミーティングル−ム、エステティックサロン等での本発明の実施を想定したものである。
【００７３】
試験方法。被験者、成人男子１５名及び女子１５名の計３０名を対象として、４０ｍ２の洋室（床：アスタイル、ガラス窓あり）で、バラのフローラル液（ハイパープランツ株式会社製、フランス）を用いて、ドライミスト状態の微細霧を発生させ、それらを満たした部屋で１５分間安静にした後に、香りによるストレスの自覚症状改善効果（リラクゼーション効果）に関する質問票（４点評価）に基づく自己記入式アンケ−トを行った。アンケート結果を以下の「表８」に示す。
【００７４】
【表８】
2005046338.tif 000010
前掲した「表８」に示すように、バラのフローラル液をドライミスト状態で微細霧化して噴霧した場合では、リラクゼーション効果が得られることが明らかになった。
【００７５】
これは、精油に比べて香気成分量が少ない「フローラル液」であっても、二流体ノズルの噴出口を対向するように配置して、各ノズルからの噴流を外部衝突させることで得られる微細霧を空気中に噴霧することによって、フローラル液中の香気成分を均一かつ広範囲に拡散させることができるからと考えられる。
【産業上の利用可能性】
【００７６】
除菌作用、殺菌作用、抗菌作用、抗ウイルス作用等によって、病原菌、ウイルス等の病原微生物を、所望の空間や場所から除去あるいは増殖抑制又は防止を確実に行うことができるので、院内感染防止をはじめ、一般のビル、オフィイス、救急車、保健施設、福祉施設、食品調理場、浴場、トイレ、レジャー施設、実験施設、列車・航空機・バスなどの交通機関、空港等の多くの場所や施設における感染症の予防技術として利用できる。また、クリーンルームその他での人体除菌技術としても有効である。さらには、香気噴霧によるリラクゼーションやアロマテラピー等に係る技術としても広く利用できる。
【図面の簡単な説明】
【００７７】
【図１】本発明に好適な噴霧ノズル構成を簡略に示す図である。
【図２】光トポグラフィーによる、脳血液中の指尖脈波の加速度脈波の測定結果を示す図（グラフ）である。
【図３】光トポグラフィーによる酸素化ヘモグロビン（ｏｘｙＨｂ）と還元ヘモグロビン（ｄｅｏｘｙＨｂ）の動態測定の変化を、積分値を用いて示した図である。
【図１】
2005046338.tif 000011
【図２】
2005046338.tif 000012
【図３】
2005046338.tif 000013